Podtech/llm-jp-corpus-v4-ja_patent huggingface dataset:
(57)【要約】      （修正有）【課題】体の痛みを持った人が容易にに座敷や高所に昇降できる家庭用昇降装置を提供する。【解決手段】昇降台７の後部左右に振れ止めローラ３を取り付け鉄板を配置し、振れ止め支柱２の中へローラを挿入して取り付け、前後左右のチェン６に取り付けた昇降台を上下移動させるべく構成するとともに、該昇降台をギヤードモータ８により上昇・下降および自動停止できるようにした。【選択図】図２
2013252920.tif 000002
【特許請求の範囲】
【請求項１】
昇降台の後部左右に振れ止めロ−ラ取り付け鉄板を配置し、振れ止め支柱の中へローラーを挿入して取り付け、前部左右のチエンに取り付けた昇降台を上下移動させるべく構成するとともに該昇降台をギヤードモーターにより上昇・下降および自動停止できるようなしたことを特徴とする家庭用昇降装置。
【請求項２】
昇降台には安全用の手摺りを設けたことを特徴とする請求項１記載の家庭用昇降装置。
【発明の詳細な説明】
【技術分野】
【０００１】
本発明は庭、土間より人が昇降台に乗り座敷、高所へ上昇、人は降りる。
下降するときは停止している昇降台に乗り、下降し、人は庭、土間へ降りる装置である。
【背景技術】
【０００２】
従来のようなリフト装置では、人は昇降、乗り降りは出来ない。
この家庭用昇降装置は、座敷、高所に、足痛、腰痛、体の痛みを気にせず楽に昇降出来る装置であっ
て、特に高齢者にしては特に必要な家庭用昇降装置である。
【先行技術文献】
【特許文献】
【０００３】
【特許文献１】実開平５−１７０１２号公報
【特許文献２】特開平１１−３２２２８４号公報
【特許文献３】特開平９−２７８３９０号公報
【発明の概要】
【発明が解決しようとする課題】
【０００４】
人が座敷、高所の指定位置へ、足、腰、痛いために上昇することを、気にしている人のため。
【課題を解決するための手段】
【０００５】
土間に停止した昇降台に乗り、手摺を持って上昇スイッチボタンを押し上昇、指定の位置で、自動ス    トップし、人は降りる。
下降は停止している昇降台に乗り、手摺を持って下降スイッチボタンを押し下降、庭、土間で自動ストップして降りることを特徴とする。
【発明の効果】
【０００６】
足痛、腰痛、の人は座敷、高所昇降で、痛みを気にしないで楽に昇降できることが特徴である。    
【図面の簡単な説明】
【０００７】
【図１】図１は本案昇降装置の平面図である。
【図２】図２は移送人を記載した左側面図である。
【発明を実施するための形態】
【０００８】
図面のように簡単に、体の痛みを持った人が座敷、高所に昇降できるのが特徴の、家庭用昇降装置である。
【実施例１】
【０００９】
チエン取り付け支柱１は、これは、前方両側にあり、チェン支柱となり、２のロラ−の振れ止め支柱は、手前の両側にあり振れ止めに使う。３のロ−ラ−も、振れ止めに使う。４の振れ止めロ−ラ−の取り付けは、昇降台の鉄板に取付け、５のチエンギヤ−ホイルは前方の両側にチエンを支えるギヤ−ホイルで、６のチエンは、このギヤ−ホイルに取付け昇降する。７の昇降台は昇降するのに人が乗るもので８のギヤ−  モータ−は、チエンを昇降に作動するものである。９の上昇スイッチボタンは昇降台を、上昇させるスイッチボタンである。１０の下降スイッチボタンは昇降台を下降させるものである。１１の昇降台の取付けボルト、ナットは昇降チエンに取り付けた、ボルト、ナットである。
１２  の補強板は、チエン取り付け支柱を補強、振れ止となる。１３の連動シャフトは、モ-タ-に連動して、チエンを昇降させるシャフトで,１４はギヤドモ−タ−を、取り付けする鉄板。１５はチエン支柱、振れ止め支柱、昇降台受にする土台である。１６の伝導シャフトのピロウブロック。１７は座敷、高所で、乗り降りのときの踏み板である。
庭、土間より座敷、高所へ昇降するのに体に、痛みを感じなく昇降できるように１図の昇降台に乗り、
ギヤドモ-タ-を作動し、指定の座敷、高所へ昇降できるようにした。
【００１０】
この家庭用昇降装置は、据え付け工事をすることなく、他への移動も簡単にできる。
【産業上の利用可能性】
【００１１】
人が庭、土間から座敷、高所へ上昇、下降が痛みを持った体では、痛みを気にしないで昇降ばかりでなくあらゆる所で利用できる。特に高齢者が多く、必要とされる家庭用昇降装置である。
【符号の説明】
【００１２】
１  チエン取り付け支柱  
２  ロ−ラ振れ止め支柱
３  振れ止めロ−ラ−
４  振れ止めロ−ラ取り付け鉄板
５  チエンギヤ−ホイル
６  チエン
７  昇降台
８  ギヤドモ-タ-  
９  上昇スイッチボタン
１０  下降スイッチボタン
１１  昇降台、チエン、取り付けボルト、ナット
１２  チエン取り付け支柱、補強板
１３  連動シャフト
１４  ギヤドモ−タ−を取り付する鉄板
１５  チエン支柱、振れ止め支柱、昇降台受けにする土台。
１６  伝導シャフトのピロ-ブロック
１７  座敷、高所で、乗り降りのときの踏み板。
【図１】
2013252920.tif 000003
【図２】
2013252920.tif 000004
(57)【要約】      （修正有）【課題】従来のテープカッターはセロハンテープを引き出す際、テープカッターが動かないようにするためには、テープカッター本体を重くするか、片手で押えもう一方の手で引き出さなくてはいけないため、不便であった。片手で安易にセロハンテープを引き出すことが出来、また、本体を重くする必要がないため持ち運びが容易なテープカッターを提供する。【解決手段】ポリウレタン樹脂板２を底に取り付け、設置面に押し付け密着させる。【選択図】図１
2013252967.tif 000002
【特許請求の範囲】
【請求項１】
ポリウレタン樹脂を底に取り付けたテープカッター。
【請求項２】
テープカッターの下部にポリウレタン樹脂を取り付けることでテープカッターが設置面に固定され、セロハンテープを引き出す際、滑らず引き出せるテープカッター。
【発明の詳細な説明】
【技術分野】
【０００１】本発明はポリウレタン樹脂をテープカッターの底に取り付けることにより、片手で安易にセロテープを引き出すことが出来るものである。
【発明の概要】
【発明が解決しようとする課題】
【０００２】従来のテープカッターはセロハンテープを引き出す際、テープカッターが動かないようにするためには、テープカッター本体を重くするか、片手で押えもう一方の手で引き出さなくてはいけないため、不便であった。
【課題を解決するための手段】
【０００３】本発明はポリウレタン樹脂をテープカッターの底に取り付け、設置面に固定させることにより、片手で安易にセロテープを引き出すことが出来る。
また、本体を重くする必要がないため持ち運びが容易である。
【図面の簡単な説明】
【０００４】
【図１】ポリウレタン樹脂底テープカッターの立体図
【図２】ポリウレタン樹脂底テープカッターの分解図
【図３】ポリウレタン樹脂底テープカッターの平面図
【図４】ポリウレタン樹脂底テープカッターの使用図
【発明を実施するための形態】
【実施例】
【０００５】以下、本発明を実施するための形態を図１〜図４に基づいて説明する。【０００６】図１はポリウレタン樹脂底テープカッターの立体図で、１はテープカッター本体、２はポリウレタン樹脂板である。【０００７】図２はポリウレタン樹脂底テープカッターの分解図で、１のテープを収納するテープカッター本体の底に、２のポリウレタン樹脂板を貼り付け設置面が滑らないようにしてある。【０００８】図３は１のテープカッター本体と２のポリウレタン樹脂板を貼り付けた平面図である。【０００９】図４はポリウレタン樹脂底テープカッターの使用図で、１のテープカッター本体に３のテープを収納し、テープを引き出して使用する。
２のポリウレタン樹脂板を設置面に押し付けることで、１のテープカッター本体が設置面に固定され、テープを片手で安易に引きだすことが出来るようにした。
【図１】
2013252967.tif 000003
【図２】
2013252967.tif 000004
【図３】
2013252967.tif 000005
【図４】
2013252967.tif 000006
(57)【要約】【課題】レンタル重機の稼働時間状況を正確に把握するシステムを提供することを課題とする。【解決手段】レンタル重機を動作させた時、スタータからバッテリーを動かしオルタネーターの電圧を検知してＯＮとなり、止まるまでの時間を計測する。そして電圧ロジックにより時間を計測して、ＵＳＢに記憶させる。  レンタル重機に本体を装着させ、返却した場合、本体を取り外し、ＵＳＢをパソコンに装着して、ソフトを立ち上げパソコンに、レンタル日当たりの重機稼働時間を表示させる。【選択図】  図１
2013252950.tif 000002
【特許請求の範囲】
【請求項１】
レンタル重機の運転状況をパソコンのコンピュータで時間を把握する稼働状況管理システムであって、レンタル重機に取り付けられたＵＳＢメモリーによりレンタル重機の稼働時間を測定して時系列運転時間として記憶させ、該ＵＳＢメモリーをレンタル重機から取り外して外部のパソコンに接続させ、ソフトにより重機稼働時間を表示させることを特徴とするレンタル重機稼働状況管理システム。
【発明の詳細な説明】
【技術分野】
【０００１】
本発明は、レンタル重機の稼働時間を確実に把握できる簡易稼働管理システムに関するものである。
【背景技術】
【０００２】
実際の重機の稼働時間は、アワーメータしかなく、詳細な１日の稼働時間を把握する方法がなかった。また、パソコン又は、ＧＰＳ等による重機運行管理システムがあるが、たとえば、特許文献１ではどのように重機作業時間の把握の方法が明確でなく、１日の稼働時間は把握できなかった。またＧＰＳ方式では高価で一般的でなかった。
（特許文献１参照）。
【先行技術文献】
【特許文献】
【０００３】
【特許文献１】特開２００３−０１２２７１号公報
【発明の概要】
【発明が解決しようとする課題】
【０００４】
レンタル重機は、日当たりで賃料を計算しており、稼働日は、工程、天候等により、未稼働日もあり、詳細なレンタル重機の稼働時間の把握することが課題であった。
【０００５】
レンタル機械の稼働日は、借りた業者の申告によっていたので、詳細に把握することができなった。
【課題を解決するための手段】
【０００６】
本発明は上記課題を解決するためにレンタル重機の運転状況をパソコンのコンピュータで時間を把握する稼働状況管理システムであって、レンタル重機に取り付けられたＵＳＢメモリーによりレンタル重機の稼働時間を測定して時系列運転時間として記憶させ、該ＵＳＢメモリーをレンタル重機から取り外して外部のパソコンに接続させ、ソフトにより重機稼働時間を表示させるさせるものである。
【発明の効果】
【０００７】
レンタル重機の返却時に本体を外してＵＳＢを、パソコンに装着させ、ソフトを動かして、稼働時間を表示させるものである。これにより詳細なレンタル重機の稼働時間の把握することができる。
【図面の簡単な説明】
【０００８】
【図１】電源基板を入れた場合のフロー図である。
【図２】電源基板を入れない本体だけのフロー図である。
【図３】このシステムの作業手順である。
【発明を実施するための形態】
【０００９】
本発明は、レンタル重機１の稼働時間を把握するシステムで、重機でバッテリーを搭載しているエンジンのものに限る。
図１は、レンタル重機１を動作させた時、バッテリーで動作する１２Ｖ，２４Ｖの重機のフロー図であり、電源基板３と本体２（ＵＳＢメモリー）をカバーして、本体２（ＵＳＢメモリー）に備えられて電圧変化により作動する電圧ロジックにより時間を計測して、本体２（ＵＳＢメモリー）に稼働時間を記憶させることができる。
即ち、上記ＵＳＢメモリーは電圧変化を電圧ロジックにより測定して稼働時間を時系列に記憶させる機能を備えているものである。
【００１０】
即ち、レンタル重機１を動作させた時、オルタネーターの電圧を検知して、ＯＮとなり、止まるまでの時間を計測する。電圧は最高３０Ｖまで検知し、電圧ロジックにより、時間、分、秒まで、ＵＳＢメモリーに記憶させる。そして、レンタル重機１が返却された場合本体２（ＵＳＢメモリー）をとり外し、パソコン４に装着して、パソコン４のアプリケーションソフトを立ち上げパソコン４に、２４時間の稼働時間を表示させる。
レンタル重機１の、１日の稼働状況が詳細に把握できる
【符号の説明】
【００１１】
１  レンタル重機
２  電源基板
３  本体
４  パソコン
【図１】
2013252950.tif 000003
【図２】
2013252950.tif 000004
【図３】
2013252950.tif 000005
(57)【要約】【課題】  めんを具材としたまんじゅうを製造する新規な方法を提供することである。【解決手段】  めん及びめんに入れる具を調理し冷ましてまぜ合わせる工程と、めん及びめんに入れる具を定量とって、調理台上に置く工程と、調理したスープを冷凍することによって形成される冷凍スープ塊をつくる工程と、定量のめん及びめんに入れる具の上に冷凍スープ塊を置く工程と、定量のめん及びめんに入れる具と冷凍スープ塊を、まんじゅうの皮で包み込む工程とを含むことを特徴とするまんじゅうの製造方法が提供される。【選択図】  図１
2013252079.tif 000002
【特許請求の範囲】
【請求項１】
めんを具材としたまんじゅうの製造方法であって、
めん及びめんに入れる具を調理し冷ましてまぜ合わせる工程と、
前記めん及びめんに入れる具を定量とって、調理台上に置く工程と、
調理したスープを冷凍することによって形成される冷凍スープ塊をつくる工程と、
前記定量のめん及びめんに入れる具の上に前記冷凍スープ塊を置く工程と、
前記定量のめん及びめんに入れる具と前記冷凍スープ塊を、まんじゅうの皮で包み込む工程と、
を含むことを特徴とする方法。
【請求項２】
前記具材が、ラーメン、そば、又はうどんであることを特徴とする請求項１に記載の方法。
【発明の詳細な説明】
【技術分野】
【０００１】
本発明は、めんを具材としたまんじゅうの製造方法に関する。具材とするめんには、ラーメン、そば、うどんが含まれる。
【背景技術】
【０００２】
肉を具材とした肉まん、あんを具材としたあんまんをはじめとして、最近では、ピザを具材としたピザまん、カレーを具材としたカレーまん等の種々のまんじゅうが製造販売されており、消費者に人気のある食品となっている。
【発明の概要】
【発明が解決しようとする課題】
【０００３】
上述のように、まんじゅうの具材として種々の食材が用いられているが、らーめん、そば、うどんのような、いわゆる汁物を具材としたまんじゅうは、見受けられない。これは、汁物をまんじゅうの具材にすると、まんじゅうが汁を吸ってしまうため、美味なまんじゅうを製造するのが難しい、という理由によるものと考えられる。
【０００４】
本発明は、このような課題を克服し、典型的な汁物であるめんを具材としたまんじゅうを製造する新規な方法を提供することを目的とする。
【課題を解決するための手段】
【０００５】
本願請求項１に記載のめんを具材としたまんじゅうの製造方法は、めん及びめんに入れる具を調理し冷ましてまぜ合わせる工程と、前記めん及びめんに入れる具を定量とって、調理台上に置く工程と、調理したスープを冷凍することによって形成される冷凍スープ塊をつくる工程と、前記定量のめん及びめんに入れる具の上に前記冷凍スープ塊を置く工程と、前記定量のめん及びめんに入れる具と前記冷凍スープ塊を、まんじゅうの皮で包み込む工程とを含むことを特徴とするものである。
【０００６】
本願請求項２に記載のめんを具材としたまんじゅうの製造方法は、前記請求項１の方法において、前記具材がラーメン、そば、又はうどんであることを特徴とするものである。
【発明の効果】
【０００７】
本発明の方法により、めんを具材としたまんじゅうを、食する時までまんじゅうの皮が汁を吸うことがないように製造することができるので、従来ない具材のまんじゅうを提供することができる。
【図面の簡単な説明】
【０００８】
【図１】本発明の好ましい実施の形態に係るめんを具材としてまんじゅうの製造方法の工程を示したフロー図である。
【図２】本発明の製造方法の各工程を模式的に示した図である。
【発明を実施するための形態】
【０００９】
次に、図面を参照して、ラーメンを具材とする場合を例にとり、本発明の好ましい実施の形態に係るまんじゅうの製造方法について詳細に説明する。図１は、本発明の好ましい実施の形態に係るまんじゅうの製造方法の工程を示したフロー図、図２は、本発明の製造方法の各工程を模式的に示した図である。
【００１０】
まず最初に、ラーメン及びラーメンに入れる具（例えば、メンマなど）をそれぞれ別個に調理して冷まし、まぜ合わせる（工程Ａ）。
【００１１】
次いで、具をまぜ合わせたラーメン（以下「具入りラーメン」という）を定量（１個分）とり、丸めて調理台上に置く（工程Ｂ）。具入りラーメンを丸めるのは、まんじゅうの皮で包み易くするためである。
【００１２】
次いで、具入りラーメンの上に、冷凍スープ塊を置く（工程Ｃ）。ここで、冷凍スープ塊とは、調理したスープに片栗粉等を入れてとろみをつけた後、冷凍した塊である。冷凍スープ塊の大きさは、まんじゅうの大きさにもよるが、径が３ｃｍ程度である。冷凍スープ塊の形状は、特に問わないが、具入りラーメンの上に置きやすいように、底面を平らにするのが好ましい（図２（ｄ）参照）。
【００１３】
次いで、冷凍スープ塊と具入りラーメンをまんじゅうの皮で包み込む（工程Ｄ）。まんじゅうの皮は、小麦粉などを原料とした一般的なまんじゅうの皮を使用してよい。以上により、ラーメンを具材としたまんじゅうが完成する。
【００１４】
以上のようにして製造されたまんじゅうは、食する時に、電子レンジ等を用いて解凍すると、まんじゅうの中の冷凍スープ塊がとけて液状スープになり、この液状スープが具入りラーメンの隙間にしみ込むので、ラーメンの食感を味わいつつ、まんじゅうを食することができる。    
【００１５】
なお、上述の製造工程では、具入りラーメンの上に冷凍スープ塊が置かれるが、冷凍スープ塊を具入りラーメンで包み込むようにしてもよい。
【００１６】
本発明は、以上の発明の実施の形態に限定されることなく、特許請求の範囲に記載された発明の範囲内で、種々の変更が可能であり、それらも本発明の範囲内に包含されるものであることはいうまでもない。
【００１７】
例えば、前記実施形態では、具材としてラーメンを用いた場合を例にして説明したが、ラーメンの代わりに、そば、うどん等の他のめんを具材として用いて、同様の方法でまんじゅうを製造することができる。
【図１】
2013252079.tif 000003
【図２】
2013252079.tif 000004
(57)【要約】【課題】ナタ豆を原料として、コーヒーと同様の色，味，香りを有する代用コーヒーを製造する製造方法を提供する。【解決手段】ナタ豆の豆を焙煎釜に投入し、２０〜２５分間で２２０℃〜２４０℃になるように火力，風力を調整して焙煎を行ない、焙煎後に、攪拌しながら少量の水をかけ、大量の風力で急速冷却して、コーヒーと同様の色，味，香りを有する代用コーヒーを製造する。【選択図】なし【特許請求の範囲】
【請求項１】
コーヒーと同様の色，味，香りを有する代用コーヒーの製造方法であって、
ナタ豆を強く焙煎する焙煎工程と、該焙煎工程後に急速冷却する冷却工程を含む
ことを特徴とする代用コーヒーの製造方法。
【請求項２】
前記焙煎工程は、ナタ豆の豆を焙煎釜に投入し、２０〜２５分間で２２０℃〜２４０℃になるように火力，風力を調整して行ない、
前記冷却工程は、攪拌しながら少量の水をかけ、大量の風力で急速冷却する
ことを特徴とする請求項１に記載の代用コーヒーの製造方法。
【請求項３】
前記焙煎工程において、前記ナタ豆の豆にコーヒー豆を少量加えて焙煎する
ことを特徴とする請求項１または請求項２に記載の代用コーヒーの製造方法。
【発明の詳細な説明】
【技術分野】
【０００１】
本発明は、代用コーヒーの製造方法に関するものである。
【背景技術】
【０００２】
従来、ナタ豆は、蓄膿症，歯槽膿漏（歯周病），傷が膿みやすい体質に対して、民間療法に使われており、使用方法は煎じて服用するのが一般的であるが、煎液は生臭みが強く、飲み難いものであった。
なお、特許文献１に開示されているように、ナタ豆と、ジュウヤクと、ゴーヤ果実とを混合して、飲み易くした混合茶が存在する。
【先行技術文献】
【特許文献】
【０００３】
【特許文献１】実用新案登録第３１２２３８６号公報
【発明の概要】
【発明が解決しようとする課題】
【０００４】
上記特許文献１に開示されている混合茶では、ナタ豆のヘタやスジを分離する前の豆を含んだ鞘部ごと乾燥，粉砕したものが用いられているが、他の原料を混合することで臭みが緩和されているものであり、ナタ豆の豆を用いてコーヒーと同様の色，味，香りを有する代用コーヒーとすることについては何ら開示されていないものであった。
【課題を解決するための手段】
【０００５】
本発明は、ナタ豆を用いてコーヒーと同様の色，味，香りを有する代用コーヒーを製造する製造方法の提供を目的とし、この目的の少なくとも一部を達成するために以下の手段を採った。
本発明は、コーヒーと同様の色，味，香りを有する代用コーヒーの製造方法であって、ナタ豆を強く焙煎する焙煎工程と、該焙煎工程後に急速冷却する冷却工程を含むことを要旨とする。
【発明の効果】
【０００６】
ナタ豆を強く焙煎し、その後に急速冷却することにより、コーヒーと同様の色，味，香りを有する代用コーヒーとすることができ、コーヒーと同様の味，香りであるため飲み易く、しかも、ナタ豆の有効成分により蓄膿症や歯槽膿漏等に対する治療効果を得ることができるものとなる。
【０００７】
また、本発明の代用コーヒーの製造方法において、前記焙煎工程は、ナタ豆の豆を焙煎釜に投入し、２０〜２５分間で２２０℃〜２４０℃になるように火力，風力を調整して行ない、前記冷却工程は、攪拌しながら少量の水をかけ、大量の風力で急速冷却する方法とすることもできる。
こうすれば、ナタ豆を原料として、コーヒーと同様の色，味，香りを有する代用コーヒーを良好に製造することができるものとなる。
【０００８】
また、本発明の代用コーヒーの製造方法において、前記焙煎工程において、前記ナタ豆の豆にコーヒー豆を少量加えて焙煎することもできる。
こうすれば、より良好な味や香りを有する代用コーヒーを製造することができる。
【発明を実施するための形態】
【０００９】
次に、本発明を実施するための形態を実施例を用いて説明する。
ナタ豆を原料として代用コーヒーを製造する製造方法の一例を以下に説明する。
本例の製造方法では、ナタ豆を強く焙煎する焙煎工程と、焙煎工程後に、急速冷却する冷却工程を含むものである。
【００１０】
焙煎工程では、回転攪拌式密封焙煎釜が用いられ、この回転攪拌式密封焙煎釜内にナタ豆を投入するのであるが、投入するナタ豆は、ナタ豆の鞘部から内部の豆を取り出し、豆のサイズがコーヒー焙煎に適したコーヒー豆のサイズに近いものであることが好ましく、そのようなサイズのナタ豆の豆を選定して回転攪拌式密封焙煎釜内に投入する。
【００１１】
回転攪拌式密封焙煎釜は火力，風力が調整可能で、内部に投入したナタ豆を回転により攪拌できるものであり、回転攪拌式密封焙煎釜内にナタ豆を投入した時の温度から２０分〜２５分間で２２０℃〜２４０℃となるように、回転攪拌式密封焙煎釜の火力と風力を調整して、ナタ豆の内部まで万遍なく熱が浸透して、香ばしさが得られるように焙煎する。なお、ナタ豆を強く焙煎することにより、ナタ豆の澱粉成分が香ばしくなり、コーヒー豆の澱粉成分と同じような香ばしさが得られるのである。
【００１２】
このように焙煎して香ばしさが付与された後に、回転攪拌式密封焙煎釜内でナタ豆を攪拌しながら少量の水をかけて、内部に大量の風力を供給し、急速にナタ豆を冷却する。この急速冷却により、ナタ豆の表面に艶が出るとともに、風味をナタ豆内に封じ込めることができる。
【００１３】
このようにして冷却したナタ豆を１．０〜１．５ｍｍ程度に粗引きして製品とすることができ、この粗引きした製品を、布や紙のフィルター上に入れて、上から熱湯を注いでドリップ方式で、香りを楽しみ、煎液の味を楽しむことができるものとなる。
即ち、一般の粉末コーヒーと同様なドリップ方式により、代用コーヒーとして飲むことができ、味や香りや色はコーヒーと同様であるため、生臭み等は全く無く、飲み易いものとなり、原料はナタ豆であるため蓄膿症や歯槽膿漏等に対する良好な効能が得られるものとなる。
【００１４】
なお、ナタ豆を回転攪拌式密封焙煎釜内に投入する際に、ナタ豆に少量のコーヒー豆を加えて投入し、上記のようにして強く焙煎し、その後、急速冷却することで、より良好なコーヒーと同様の色，味，香りを得ることができるものとなる。
(57)【要約】【課題】  りん部の振動が阻害されることなく周囲に万遍なく音が広がり、また凹面内部の煩わしい作業や清掃が必要なく、小型化が可能な仏りんを提供する。【解決手段】  開放部を下方に向けた椀形のりん部と、該りん部の凹部中心を接触支持する支持台と、からなり、前記りん部と前記支持台とが弾性体を介して支持される。【選択図】      図１
2013252459.tif 000002
【特許請求の範囲】
【請求項１】
開放部を下方に向けた椀形のりん部（１）と、該りん部（１）の凹部中心を接触支持する支持台（３）と、からなり、
前記りん部（１）と前記支持台（３）とが弾性体（２２）を介して支持されることを特徴とする仏りん。
【請求項２】
前記弾性体（２２）が、環状部（２３）を有しており、該環状部（２３）が前記りん部（１）の凹部中心に接触していることを特徴とする請求項１記載の仏りん。
【発明の詳細な説明】
【技術分野】
【０００１】
本発明は、葬祭用具であって仏壇や祭壇あるいは墓前等で使用する仏りんに関するものである。
【背景技術】
【０００２】
葬祭用具である仏りんは通常椀形をしており、凹面である開放部を上方に向け、下部を座布団や支持台により支持して使用する。しかし、りん部と座布団や支持台との接触面積が大きいとりん部の振動を制限し音の響きが悪くなるという問題があり、それを解決するため、文献１及び２においてりん部と支持台との連結方法の工夫が提案されている。また、文献３において水抜き孔を有する屋外設置用の仏りんが提案されている。
【先行技術文献】
【特許文献】
【０００３】
【特許文献１】登録実用新案第３０５４６０７号公報
【特許文献２】特開平８−２０５９８９号公報
【特許文献３】特開２００１−５７９３７号公報
【発明の概要】
【発明が解決しようとする課題】
【０００４】
しかしながら、仏りんの音は開放部の向いた方向に広がるため、高い位置に設置した場合下方への音の広がりが少なく音がきれいに響かないという点が問題であった。
また、りん部と支持台とが連結されている仏りんの多くは凹部内面に連結機構又はその一部を有し、特に小さい仏りんの場合連結の作業がしづらいという点も問題であった。
さらに、仏りんの開放部が上向きであるため凹面内部にほこり等がたまりやすく、前述の水抜き孔にも落葉等が詰まって水が抜けにくくなるという懸念があった。
また、支持台と連結された仏りんは座布団を敷くものと比べて現代的なデザインが可能であるが、好適な音の高さを維持するためりん部の小型化に限界があり、りん部と支持台を合わせた仏りん全体としての小型化が困難であった。そのため、昨今の住宅事情により普及している小型の仏壇において、そこに飾る花器や香炉等の仏具と比べて仏りんが大きくバランスが取れないという点も問題であった。
【０００５】
本発明は、りん部の振動が阻害されることなく周囲に万遍なく音が広がり、また凹面内部の煩わしい作業や清掃が必要なく、小型化が可能な仏りんを提供することを目的とする。
【課題を解決するための手段】
【０００６】
本発明のうち請求項１記載の発明は、開放部を下方に向けた椀形のりん部と、該りん部の凹部中心を接触支持する支持台と、からなり、前記りん部と前記支持台とが弾性体を介して支持されることを特徴とする。
【０００７】
本発明のうち請求項２記載の発明は、前記弾性体が、環状部を有しており、該環状部が前記りん部の凹部中心に接触していることを特徴とする。
【発明の効果】
【０００８】
本発明のうち請求項１記載の発明によれば、椀形のりん部の開放部を下方に向けることで、下面に音の広がりを持たせることができる。よって、仏りんが高い位置に設置される場合でも良く音が響き、また低い位置に設置される場合は音が床面に反射するので通常の仏りんと変わらない音の響きが得られる。
また、りん部の開放部が下方を向き凸面が上方を向いていることから、ほこり等がたまりにくく、表面に汚れが付着した場合でも清掃が容易である。屋外に設置した場合も内部に水がたまることがなく、水抜き孔等を設ける必要もない。
さらに、支持部材がりん部の内側に位置することから仏りん全体の高さを低く構成することができ、他の仏具とのバランスを考慮したデザインが可能となった。
【０００９】
本発明のうち請求項２記載の発明によれば、バランスよく確実にりん部を支持できる。
【図面の簡単な説明】
【００１０】
【図１】本発明の仏りんの第１実施形態を示す中心軸断面図である。
【発明を実施するための形態】
【００１１】
本発明の仏りんの具体的な構成について、各図面に基づいて説明する。
【００１２】
図１は本発明の仏りんの第１実施形態を示す。本仏りんは、開放部を下方に向けた椀形のりん部１と、支持台３を有し、支持台３の中央に上向きに延びる支持部２が形成されている。そして、りん部１が頭頂部に貫通孔６１を有し、支持部２の先端部が細くなり貫通軸部１４となっている。貫通孔６１の上下に弾性体であるゴム製のオーリング２２を設置し、オーリング２２と貫通孔６１を貫通軸部１４が貫通し、貫通軸部１４上部につまみ５１を螺着することで、りん部１がオーリング２２を介して支持部２とつまみ５１とで挟まれる。この際、下側のオーリング２２の上面が環状部２３となり、環状部２３がりん部１の凹部中心に接触している。オーリング２２の材質は弾性体であれば自由に選ぶことができ、弾性を変化させることで様々な音の響きや打ち心地を楽しむことができる。なお、このように、りん部１、支持部２及び支持台３、つまみ５１をそれぞれ別部品にすることにより、素材から部品を加工する際の無駄を省き、加工コスト、材料コストを抑えることができる。
【符号の説明】
【００１３】
１  りん部
３  支持台
２２  オーリング（弾性体）
２３  環状部
【図１】
2013252459.tif 000003
(57)【要約】      （修正有）【課題】外科手術に際し結び目の形成を容易にした、特に、内視鏡手術に用いて好適な手術用縫合糸を提供する。【解決手段】糸付き縫合針２の一部にコイル状の多重ループ５と、その糸端をかかる多重ループの最初のループ４に予め通して半結節が形成されている手術用縫合糸。【選択図】図１
2013252407.tif 000002
【特許請求の範囲】
【請求項１】
針付きの縫合糸であって、少なくともその一部にコイル状の多重ループと糸端にかかるループに予め交差させ、半結節が形成されていることを特徴とする手術用縫合糸。
【発明の詳細な説明】
【産業上の技術分野】
【０００１】本考案は、心臓血管外科、一般外科、特に、腹腔内や胸腔内の内視鏡手術やロボット手術に用いて最適な手術用縫合糸の提供に関するものである。
【背景技術】
【０００２】近年、患者の負担を軽減する目的において内視鏡やロボットを用いた手術が広く行われるようになってきている。
切開部が小さく傷跡が目立たないこと、手術侵襲が少なく、治癒期間が短くて済むこと等、多くの利点がある反面、体腔内で外科的処置を施すため、特に、縫合糸によって患部を縫合したり、吻合したりする作業に高度の熟練を要した。【０００３】即ち、外科の創世記より一般的に行われる器械結紮法は、術部に刺入させた縫合糸を鉗子に数回巻き付けて輪をつくり、かかる巻き付けられた輪の中に他方の糸端を引き込んで更に引っ張ることによって結び目を形成しているのであるが、特に、前記した内視鏡による手術においては体腔内の、しかも術野が狭く、その動きが制限された中で鉗子を回転させて縫合糸を巻つけていたためその作業の確実性に問題があり、特に、縫合糸が滑ってループを形成し難いこと、とりわけ内視鏡下の当該分野で多用されているモノフィラメント縫合糸は緩みやすいこと、また糸の剛性が大きいため、かかる現象が顕著であることから、その作業に熟練と時間を要し、緩むことで目的を完遂し得ない場合もあり、場合によっては切開部を広げ用的に結紮する必要も生じた。
【考案が解決しようとする課題】
【０００４】本考案は、かかる従来の欠点を解消したもので、特に、すでに結び目を部分的につつくっておき手術時に緩まない結節を形成し易く、しかもこれを確実に行うことのできる新規な縫合糸を提供したものである。
【課題を解決するための手段】
【０００５】しかるに本考案は、その構成において、糸の一部にコイル状の多重ループが形成さらに、糸端をかかるループの一部に予め交差させ、半結節を形成されて成ることに特徴を有する手術用縫合糸に関する。
【作用】
【０００６】本考案は、前記したように縫合糸自体にコイル状のループを複数形成して成るため、手術時に、縫合針を組織に刺入貫通した後、多重ループに通して糸を牽引するだけで、従来のように鉗子を回転させる等してこれを巻き付ける必要がなく、また、結ぶという作業をせずとも容易に確実に結紮を行うことができるものである。
【０００７】本考案を構成する縫合糸は、ナイロン、ポリエステル、ポリプロピレン、フッ素樹脂系等の合成繊維、キチン、カプロラクトン、ρ−ジオキサノン、ポリグリコール酸、ポリ乳酸、ポリグリコール酸とポリ乳酸の共重合体、或はブレンド物等より成る生体分解吸収性繊維、金属、或は、絹等、従来より汎用されている縫合糸等に広く適用可能であり、また、その縫合糸の形態も合糸されたもの、合撚されたもの、ブレード糸、モノ、或は、マルチフィラメント糸等何れでもよい。
しかしながら、その効果が顕著であり、また、コイル状ループの形成加工が容易であること、体内に放置して異物として残存しないこと等の観点より、生体分解吸収性素材によるモノフィラメント糸にて構成された縫合糸を、特に、内視鏡手術用とするのが好適である。しかしながら、その素材、用法についてはこれに限定されるものではなく心臓血管外科においては生体分解吸収性素材を用いることは出来ないことはいうまでもない。
【０００８】なお、形成されるコイル状のループは、例えば、適宜の樹脂を付着させた後、芯材に螺旋状に巻き付けてその形状を付着させた樹脂によって固定したり、熱可塑性素材であれば単に芯材に巻き付け、適宜の温度で熱処理することによってこれを熱固定したり、両法を併用したり、その方法は適用する素材の特性に応じて任意の方法を選択できる。
また、形成されるループは少なくとも、引張された張力が除去された後においてもその形状が維持されることが望ましく、そのループ形成の位置、形状、大きさ等はこれに適用する鉗子のサイズ、形状等に応じて適宜設定すればよい。
更に、形成されるループの数は少なくとも２個あれば結び目の形成は可能であるが、強固な結び目の形成と、あまり結び目が大きくなり過ぎない等の観点より２〜５個の範囲にあるのが好ましい。
以下、例示した図面をもとにその構成と使用方法について説明する。
【実施例】
【０００９】図１には本考案縫合糸１の構成を示したが、これは、一端にスエージングによって縫合針２が取りつけられ、また３−６個の螺旋状のループ５およびモノフィラメント縫合糸の針のついていない遠位端６を予め先述のループ５の最終ループ４に交差させた複合ループが形成されたモノフィラメント縫合糸を例示したものである。
これの使用法については図２に示すように本考案縫合糸１をそのまま患部に導き、別の鉗子８によって縫合針２を組織９に貫通させて保持（図２参照）した後、かかる縫合糸の縫合針２を鉗子８で掴んでループ５の中に引き込み、更にこれを引っ張ることによって結び目１０を形成する。（図３，４参照）
【考案の効果】
【００１０】本考案構成によると当初より螺旋状のループが形成されており、これを鉗子等にて縫合針を組織に刺入貫通した後、多重ループに通して糸を牽引するだけで、従来のように鉗子を回転させる等してこれを巻き付ける必要がなく、また、結ぶという作業をせずとも容易に確実に結紮を行うことができる。従来のように狭い術野で鉗子を回転させてループを形成する必要がなく、また、余分な切開部を設ける必要もない。また多重の結節が一回の縫合でできあがるので、従来のように何度も繰り返し機械結びを行うことは必要ない。特に、滑ったり剛性によってループ形成が困難である従来の欠点が解消でき、更に、鉗子によって縫合糸を患部まで案内する際においても糸が絡んだりもつれたりするトラブルを生じない。
よって、結ぶという作業に到るまで迅速、且つ、正確にこれを行うことができ、従来のように高度な技術も必要とせず、また、手術時間を大幅に短縮することができるため患者の手術侵襲を和らげることができる等、多大の効果を奏するものである。
なお、本考案縫合糸は、内視鏡手術のみならず、他の器械結紮法による一般的手術にも広く適用できるものであることは前記したとおりである。
図の説明
【図面の簡単な説明】
【図１】本考案の構成を例示した斜視図。
【図２】使用状態を示した斜視図。
【図３】使用状態を示した斜視図。
【図４】使用状態を示した斜視図。
【符号の説明】１  本考案縫合糸
２  縫合針
３
４  ループ
５  ループ
６  糸
７  糸端
８  鉗子
９  人体組織
【図１】
2013252407.tif 000003
【図２】
2013252407.tif 000004
【図３】
2013252407.tif 000005
【図４】
2013252407.tif 000006
(57)【要約】      （修正有）【課題】肩関節可動域制限がある人の着衣を容易にする補助具を提供する。【解決手段】頚部に掛ける紐１の両端に肘から手の高さに衣服の襟部を留める挟み具を設け、該頚部に掛ける紐１のやや中央に服を上方に移動させるための牽引紐２を設ける。牽引紐２の先を地面まで延ばし足で踏みやすいように輪状または梯子状にしてある。牽引紐２は頚部に掛ける紐１に結び着けるほか、ループ状にしても良いし、結び目の代わりにフック形式または留め具形式として着脱可能としても良い。【選択図】図２
2013252408.tif 000002
【特許請求の範囲】
【請求項１】
紐の両端に服を留める挟み具を設けたことを特徴とする着衣補助具。
【請求項２】
請求項１の紐を首に掛けて中央部を床または床近くの長さにしたとき  首部に留め具を設けたことを特徴とする着衣補助具。
【請求項３】
請求項１の紐の中央部に牽引するための紐を設けたことを特徴とする着衣補助具。
【請求項４】
請求項１の頚部に掛ける紐の端に複数の挟み具装着をするため紐と挟み具の間に挟み具取付け部を設けたことを特徴とする着衣補助具。
【請求項５】
請求項１の頚部に掛ける紐の端に複数の挟み具装着をするため紐を分枝して挟み具を設けたことを特徴とする着衣補助具。
【発明の詳細な説明】
【技術分野】
【０００１】  本発明は、肩関節可動域制限のある人の着衣を補助する道具に関するものである。
【背景技術】
【０００２】  服の裏側の袖の穴に片腕を通して手が袖口まで達してから  もう片方の腕を挙げて袖に手を通すのが着衣の一般的な動作である。片側の肩の可動域制限があるとき患側の手を袖に通してから健側の腕を挙げて袖に手を通すとき患側の腕を引っ張り痛みを発生するため他人の介助が必要となる。両手を下垂した状態で両手を服の裏側の袖の穴に手を通す方法が考案されているが  服を上方に持ち上げる力が必要となる。
【特許文献１】  特開平９−９４５１
【発明の概要】
【発明が解決しようとする課題】
【０００３】  肩関節周囲炎いわゆる五十肩等で肩の可動域が制限されるとき着衣時に肩の痛みのため他人の助けが必要となる。本発明はこのような問題点を解決するためになされたものである。
【課題を解決するための手段】
【０００４】  紐の両端に服の襟部を留める挟み具を設け、該紐を頚部に掛ける。挟み具にて服の襟部を留  めてから該紐を牽引することにより服が上昇する。  以上を特徴とする着衣補助具である。
【発明の効果】
【０００５】  肩の可動域が制限されたとき着衣動作が一人で可能となる。  本発明は両肩の可動域が制限されていても着衣が可能である。
【図面の簡単な説明】
【０００６】
【図１】本発明の１例を服に装着した斜視図
【図２】本発明の図１の使用状態を示す前面図
【図３】本発明の図１の使用状態を示す後面図
【図４】本発明の使用状態の１例を示す前面図
【図５】本発明の図４の使用状態の１例を示す前面図
【図６】本発明の使用状態の１例を示す前面図
【図７】本発明の挟み具取付け部の斜視図
【図８】本発明の挟み具を複数にした斜視図
【発明を実施するための形態】
【０００７】  図１の形態は  紐を首に後ろから前に掛け  該頚部に掛ける紐（１）の両端に肘から手の高さに衣服の襟部を留める挟み具（３）を設ける。該頚部に掛ける紐（１）のやや中央に服を上方に移動させるための牽引するための紐（２）を設ける。
【００８】  図１では牽引するための紐（２）の先を地面まで延ばし足で踏みやすいように輪状または梯子状にしてある。牽引するための紐（２）の先端を壁のフック等に引っ掛けて体を後方に動かして牽引する場合もある。牽引するための紐（２）は図１では頚部に掛ける紐（１）に結び着けてあるが  図６のようにループ状にしても良いし  結び目の代わりにフック形式または留め具形式として着脱可能としても良い。
【００９】  挟み具（３）が紐の先端に複数要するときは［特許文献１］に示してある挟み具取付け部（４）を図７のように設けるのもよいし  図８のように紐を分枝して挟み具（３）を設けてもよい。
【０１０】  図４では  頚部に掛ける紐（１）を延長して足で踏んでいる様子を示してある。紐を踏んで開脚すれば服は上方に移動する。この場合紐は１本にて本発明を作成できる。
【０１１】  図５では図４の紐を留め具（５）により首の前で留めてある。最初  服を挟み具（３）にて留めるとき首で服を吊り下げることができて便利である。留め具の代わりに紐で結び目を作れば同じ機能を持たせることができる。
【実施例】
【０１２】  図１図２図３にて実施例を説明する。体の前で服の襟部を挟み具（３）で２箇所留めて（図１）から頚部に掛ける紐（１）を首に掛ける。紐を首に掛けてから挟み具（３）で襟部を留めても良い。
服を背部に回し垂らすが  両手が服の裏側の袖の穴に入れ易い位置になるように紐を調節しておく。両手を服の内側より袖の穴に入れる（図２図３）。牽引するための紐（２）を足で踏んで下に引っ張ると服が上方に移動し手が袖口に近づくと肘が屈曲可能となり  手が前方の首肩に届く。牽引するための紐（２）を手で掴み更に牽引して襟部を掴めば更に服は上方に上がり  挟み具（３）を外せば着衣が完了する。
上記動作の服の牽引する方法として  腰の位置を低くして紐を踏み紐を緊張させてから膝腰を伸ばすことにより服を上に牽引する方が足で踏むだけより強い力を得られる。また一般に販売されているサスペンダーのサスペンダークリップを挟み具（３）としてサスペンダーベルトを紐として使用すると本発明の制作は容易である。頚部に掛ける紐（１）をサスペンダーベルトのように伸縮性のある素材を使用するのも良い。
【符号の説明】
【０１３】  １  頚部に掛ける紐
２  牽引するための紐
３  挟み具
４  挟み具取付け部
５  留め具
【図１】
2013252408.tif 000003
【図２】
2013252408.tif 000004
【図３】
2013252408.tif 000005
【図４】
2013252408.tif 000006
【図５】
2013252408.tif 000007
【図６】
2013252408.tif 000008
【図７】
2013252408.tif 000009
【図８】
2013252408.tif 000010
(57)【要約】【課題】本発明のクラッカー自動噴出装置を使用することにより、有線、無線を問わず人員の手を煩わせる事無く、クラッカーの引き出し紐（ロ）を手を介して引いた状態と同様な効果を得られる。【解決手段】図２のクラッカー自動噴出装置内にあるコントローラ（１０）で噴出スタート信号受ける事により、モーター内蔵ギアユニット（５）に電池ボックス（９）から電力が供給され、モーター内蔵ギアユニット（５）のシャフト型プーリー（６）が回転し、あらかじめクラッカー引き出し紐（ロ）をシャフト型プーリー（６）に結んで固定されてあったクラッカー引き出し紐（ロ）が巻かれ、クラッカー（パーティ用グッズ）本体（イ）に内蔵されたテープ又は紙吹雪等を噴出させる。【選択図】図２
2013252401.tif 000002
【特許請求の範囲】
【請求項１】
モーターに接続されたギアの軸にプーリーを取り付け、固定されたクラッカー（パーティ用グッズ）本体から出ている引き紐をプーリーに巻きつけ、モーターに電力を供給する事によりプーリーが回転し、固定されてるクラッカー（パーティ用グッズ）本体から出ている引き紐が巻き上げられ、固定されたクラッカー（パーティ用グッズ）本体に内蔵されたテープ又は紙吹雪等を噴出させる噴出装置。
【請求項２】
モーターに接続されたギアの軸にクランクを取り付け、固定されたクラッカー（パーティ用グッズ）本体から出ている引き紐をクランクに固定し、モーターに電力を供給する事により軸が回転と同時にクランクの引き上げ動作により、固定されてるクラッカー（パーティ用グッズ）本体から出ている引き紐が引かれ、固定されてるクラッカー（パーティ用グッズ）本体に内蔵されたテープ又は紙吹雪等を噴出させる噴出装置。
【発明の詳細な説明】
【技術分野】
【０００１】本発明は、クラッカー（パーティ用グッズ）を無線又は有線にて信号を受け、動力を介してクラッカー本体内のテープ類を噴出させる装置に関する。
【背景技術】
【０００２】従来のクラッカー（パーティ用グッズ）の噴出は、クラッカー（パーティ用グッズ）本体から出ている引き紐を人の手を介して引く事によりクラッカー（パーティ用グッズ）本体に内蔵されたテープ又は紙吹雪等を噴出させる。
【発明が解決しようとする課題】
【０００３】従来のクラッカー（パーティ用グッズ）の噴出は、クラッカー（パーティ用グッズ）本体から出ている引き紐を人の手を介して引く事によりクラッカー（パーティ用グッズ）本体に内蔵されたテープ又は紙吹雪等を噴出させており、個々のクラッカー（パーティ用グッズ）毎に人員を集める必要があった。
【課題を解決するための手段】
【０００４】上記の問題点を解決するために、クラッカー（パーティ用グッズ）を本発明の装置に複数個取り付け、クラッカー（パーティ用グッズ）本体から出ている引き紐をモータ内蔵のギアユニット軸に連結されたプーリーに巻きつける事で複数個のクラッカー（パーティ用グッズ）を自動で噴出させる事で解決できる。
【発明の効果】
【０００５】本発明は、クラッカー（パーティ用グッズ）の引き紐（ロ）を人の手を介せず、クラッカー自動噴出装置本体内のモーター内蔵ギアユニット（５）の動力により、クラッカー（パーティ用グッズ）の引き紐（ロ）を機械的に巻き取り、クラッカー（パーティ用グッズ）本体（イ）を噴出させる事ができる。
【発明を実施するための最良の形態・実施例】
【０００６】図１構成図、図２操作図を参照して説明すると、
クラッカー（パーティ用グッズ）本体（イ）をクラッカー引き出し紐（ロ）をクラッカー引き出し紐用穴（４）に通し、クラッカー（パーティ用グッズ）本体（イ）をクラッカー固定筒（３）の中に固定させる。
【０００７】クラッカー（パーティ用グッズ）本体（イ）のクラッカー引き出し紐（ロ）をモーター内蔵ギアユニット（５）の軸（８）に取り付いてるシャフト型プーリー（６）のクラッカー引き出し紐取り付け穴（７）に通して絡ませ、結んで固定させる。
【０００８】本発明のクラッカー自動噴出装置を使用することにより、有線、無線を問わず人員の手を介す事無く、クラッカーの引き出し紐（ロ）を手で引いた状態と同様な効果にて、クラッカー（パーティ用グッズ）本体（イ）に内蔵されたテープ又は紙吹雪等を噴出させる事ができる。
【図面の簡単な説明】
【０００９】
【図１】本発明の全体を示す構成図
【図２】本発明の操作図
【符号の説明】
【００１０】  １      クラッカー自動噴出装置本体
２      クラッカー固定板
３      クラッカー固定筒
４      クラッカー引き出し紐用穴
５      モーター内蔵ギアユニット
６      シャフト型プーリー
７      クラッカー引き出し紐取り付け固定穴
８      モーター内蔵ギア軸
９      電池ボックス
１０      コントローラ
１１      モーター接続電線
イ      クラッカー本体
ロ      クラッカー引き出し紐
【図１】
2013252401.tif 000003
【図２】
2013252401.tif 000004
(57)【要約】      （修正有）【課題】子供の寝相の悪さから掛け布団等が外れ風邪をひかせたり、ベッドで寝ている場合は掛け布団が下まで落ち、大人でさえ拾い上げるのが面倒で気が付いても拾わず我慢、子供はなお更気が付かず風邪を引かせてしまう。そんな子供の寝相の心配やベッドから落ちる掛け布団等の心配を解消すること。【解決手段】洗濯バサミ・クリップ・ピンチ等ａ其々２個を平ゴム・ベルト・ゴムベルト・布ひも等ｂで繋いだ器具で敷き布団の下を通し掛け布団等の左右をはさむ。【選択図】図１
2013252405.tif 000002
【特許請求の範囲】
【請求項１】
洗濯バサミ・クリップ・ピンチ等  其々２個を平ゴム・ベルト・ゴムベルト・布ひも等で繋ぐ
【請求項２】
繋いだ器具で敷き布団の下を通し掛け布団等をはさむ
【発明の詳細な説明】
【技術分野】
【０００１】  この発明は寝具の落下やずれ防止器具に係わり  特に掛ける寝具に特化した器具である
【背景技術】
【０００２】  従来  子供の寝相の悪さから掛け布団等が外れ風邪をひかせたり  ベッドで寝ている場合は掛け布団が下まで落ち  大人でさえ拾い上げるのが面倒で気が付いても拾わず我慢  子供はなお更気が付かず風邪を引かせてしまう  そんな子供の寝相の心配やベッドから落ちる掛け布団等の心配から解消されたい
【発明の概要】
【発明が解決しようとする課題】
【０００３】  寝相の悪い子供からの解放とベッドから落ちる掛け布団等からの解放
【課題が解決しようとする手段】
【０００４】  洗濯バサミ・クリップ・ピンチ等  其々２個を平ゴム・ベルト・ゴムベルト・布ひも等を使い繋ぎ器具をつくる
【発明を実施す為の手段】
【０００５】  洗濯バサミ・クリップ・ピンチ等  其々２個を平ゴム・ベルト・ゴムベルト・布ひも等で繋いだ器具で敷き布団の下を通し掛け布団等の左右をはさむ
【発明の効果】
【０００６】  いままで子供の寝相の悪さを心配し夜中に起き  掛け布団等掛け直したり  ベッドから落ちた掛け布団等を拾いあげ掛け直すと言う心配や風邪をひく等の心配が無くなり安心して眠ることが出来る  又  老人ホーム・障害者施設・病院・ホテル等での使用効果が期待できる
【図面の簡単な説明】
【０００７】
【図１】  洗濯バサミ等其々２個を平ゴム等で繋ぐ
【符号の説明】
【０００８】  ▲ａ▼  洗濯バサミ等
▲ｂ▼  平ゴム等
【図１】
2013252405.tif 000003
(57)【要約】【課題】  現在の車両の前方ライト照射では、左折、右折、直角、曲路走行での人、障害物を確認し難く安全確認照射が得られない。【解決手段】  ハンドル操作により左折、右折時に人、障害物が鮮明に照射され、安全確認できる車両用前照灯装置を提供する為に、ハンドル操作により、ハンドル軸に取り付けられたオウムギヤ−がハンドル操作によって作動し、電源が入り車両の前方照射ライト内の前方照射球の上に、下向きの照射になるように左折、右折照射球のライトが点灯し左折、右折時に障害物が鮮明に安全確認できる車両用前照灯装置。    【選択図】  図１
2013252768.tif 000002
【特許請求の範囲】
【請求項１】
車両前照灯内に、前方照射球と、左折、右折照射球を取り付ける構成において、車両の内側の、前方照射球の上に、下向き照射になるように左折、右折照射球を取り付けたことができることを特徴とする車両用前照灯装置。
【請求項２】
車両のハンドルに、取り付けられたオウムギヤが、ハンドル操作によって作動し車両ライトを、回転照射しないで、前方照射し、左折、右折照射を明るく鮮明に照射できることができることを特徴とする請求項１記載の車両用前照灯装置。  
【発明の詳細な説明】
【技術分野】
【０００１】
本発明は、従来のような左折、右折の照射ではなく、前方照射ライト内に、前方照射と、左折、右折照射ができる車両用前照灯装置である。
【０００２】
この左折、右折照射に、ライトを回転照射しない。前方照射ライトの中、車両の内側の、前方照射ライト球の上に、前方照射に支障がないように、ライトヒ゛−ムに下向き照射になるようにライト球を取り付ける。ライト球は前方照射球と同じ球とする
【背景技術】
【０００３】
ライト照射は、上向、下向と前方照射するものであり、ライトを回転照射しなく、前方照射し、左折、右折照射した方が前面が鮮明に照射でき、人、障害物が安全確認できる。
【先行技術文献】
【特許文献】
【０００４】
【特許文献１】特開２０００−７１８６７号公報
【特許文献２】実開平２−１１２５５５号公報
【特許文献３】実用登録３０８０３１０号公報
【発明の概要】
【発明が解決しようとする課題】
【０００５】
ハンドル操作により左折、右折時に人、障害物が鮮明に照射され、安全確認できる車両用前照灯装置を目的とする。  
【課題を解決するための手段】
【０００６】
車両の左折、右折時は前照灯を、回転照射しなく、前方照射と、左折、右折照射とすれば鮮明に照射し、人、障害物を安全確認する車両用前照灯装置を目的とする。
【発明の効果】
【０００７】
車両のライトを回転照射しないため前方も明るく照射でき、左折、右折に差し掛か ると左折、右折のライトが点灯し、左折、右折時に人、障害物が鮮明に安全確認ができる前照灯装置が特徴。
【図面の簡単な説明】
【０００８】
【図１】車両のライト照射平面図である。
【図２】左折に取り掛かった照射図である。
【図３】前照灯の球の取り付け位置を示す図である。
【発明を実施するための形態】
【０００９】
前照灯を回転照射せず前方照射し、左折、右折照射ができ、安全確認できるようにすることが特徴である。
【実施例１】
【００１０】
１は車両で、２は車両ハンドルであり、３はオ-ムギヤ-点灯装置から、左折の、ライト照射球への電気コ-ドである。４はオ-ムギヤ-点灯装置から右折の、ライト照射球への電気コ−ドであり、５はオ-ムギヤ-点灯装置のリミットスイッチである。      
６はハンドルに取り付けたオ-ムギヤ−で、７は前方照射ライト球である。８は前照灯、９は左折、右折ライト球である。
１０は曲路で、１１は車両である。１２は前照灯、１３は車両の左前方の照射範囲で、１４は車両の右前方の照射範囲である。  
１５は前方照射ライト球で、１６は左折、右折の照射ライト球である。
ハンドル操作でハンドルに取り付けられたオウムギヤ−が作動し、電源が入り車両の前照灯内の左折、右折のライトが点灯する。
【実施例２】
【００１１】
回転照射しない前照灯で左折、右折、下向きに、照射しているので、下向き操作はいらない。  
【産業上の利用可能性】
【００１２】
車両のハンドル操作で左折、右折前方照射するので左折時、右折時人、障害物が多くても安心して運転できる。
【符号の説明】
【００１３】
１  車両    
２  車両ハンドル
３  オ−ムギャ点灯装置
４  ライト球の電気コ-ド
５  リミットスイッチ  
６  オ-ムギヤ-
７  前方照射ライト球
８  前照灯
９  曲路  
１０  車両の左前方の照射範囲
１１  車両の左前方の照射範囲
１２  前方照射ライト球
１３  左折、右折の照射ライト球
【図１】
2013252768.tif 000003
【図２】
2013252768.tif 000004
【図３】
2013252768.tif 000005